(57)【要約】【課題】移動局から報告される伝搬路情報に従って変調方式や符号化率などを決定するだけでは、隣接局からの干渉が強い領域に位置する移動局に対して基地局は伝送能力の低い変調方式や符号化率しか用いることができず、効率的な通信が行われないという問題があった。【解決手段】少なくとも１つの領域の通信を管理し、移動局に対してリソースを割り当てて通信を行う基地局におけるリソース割り当て方法であって、基地局に接続している移動局が位置する領域において、移動局と基地局との間の通信が所定の条件を満たすかを判断するステップと、少なくとも１つの、移動局が位置する領域に近接する近接領域で使用しているリソースと同一ではないリソースを移動局に割り当てるステップとからなる。【選択図】図７
2010171829.tif 000002
【特許請求の範囲】
【請求項１】
少なくとも１つの領域の通信を管理し、移動局に対してリソースを割り当てて通信を行う基地局であって、
前記基地局に接続している前記移動局が位置する領域において、前記移動局と前記基地局との間の通信が所定の条件を満たしたときに、
前記基地局は、少なくとも１つの、前記移動局が位置する領域に近接する近接領域で使用しているリソースと同一ではないリソースを前記移動局に割り当てることを特徴とする基地局。
【請求項２】
前記リソースは、前記近接領域で使用していないリソースの中から選択されることを特徴とする請求項１記載の基地局。
【請求項３】
前記移動局に割り当てるリソースを、前記近接領域で使用しないことを特徴とする請求項１記載の基地局。
【請求項４】
前記近接領域は前記移動局が位置する領域に最も強い干渉を与える領域であることを特徴とする請求項１から３の何れか１項記載の基地局。
【請求項５】
前記所定の条件は、前記移動局の位置によるものであることを特徴とする請求項１から４の何れか1項記載の基地局。
【請求項６】
前記所定の条件は、前記移動局のスループットによるものであることを特徴とする請求項１から４の何れか1項記載の基地局。
【請求項７】
前記移動局の位置は、前記移動局と前記移動局が位置する領域との間の通信品質、または前記移動局と前記近接領域との間の通信品質、またはその両方の比から判断されることを特徴とする請求項５記載の基地局。
【請求項８】
前記移動局の位置は、前記移動局が接続する前記基地局からの受信電力、前記近接領域からの干渉電力、またはその両方の比から判断されることを特徴とする請求項５記載の基地局。
【請求項９】
前記リソースは、少なくとも周波数に関する情報を含むことを特徴とする請求項１から８のいずれか１項記載の基地局。
【請求項１０】
前記リソースは、時間軸のサンプルとサブキャリアのまとまりからなるリソースブロックであることを特徴とする請求項１から９のいずれか1項記載の基地局。
【請求項１１】
前記領域は、セルまたはセクタであることを特徴とする請求項１から１０のいずれか1項記載の基地局。
【請求項１２】
基地局と移動局からなり、前記基地局は、少なくとも１つの領域の通信を管理し、移動局に対してリソースを割り当てて通信を行う通信システムであって、
前記基地局に接続している前記移動局が位置する領域において、前記移動局と前記基地局との間の通信が所定の条件を満たしたときに、
前記基地局は、少なくとも１つの、前記移動局が位置する領域に近接する近接領域で使用しているリソースと同一ではないリソースを前記移動局に割り当てることを特徴とする通信システム。
【請求項１３】
前記リソースは、前記近接領域で使用していないリソースの中から選択されることを特徴とする請求項１２記載の通信システム。
【請求項１４】
前記移動局に割り当てるリソースを、前記近接領域で使用しないことを特徴とする請求項１２記載の通信システム。
【請求項１５】
前記近接領域は前記移動局が位置する領域に最も強い干渉を与える領域であることを特徴とする請求項１２から１４の何れか１項記載の通信システム。
【請求項１６】
前記所定の条件は、前記移動局の位置によるものであることを特徴とする請求項１２から１５の何れか1項記載の通信システム。
【請求項１７】
前記所定の条件は、前記移動局のスループットによるものであることを特徴とする請求項１２から１５の何れか1項記載の通信システム。
【請求項１８】
少なくとも１つの領域の通信を管理し、移動局に対してリソースを割り当てて通信を行う基地局におけるリソース割り当て方法であって、
前記基地局に接続している前記移動局が位置する領域において、前記移動局と前記基地局との間の通信が所定の条件を満たすかを判断するステップと、
少なくとも１つの、前記移動局が位置する領域に近接する近接領域で使用しているリソースと同一ではないリソースを前記移動局に割り当てるステップとからなることを特徴とするリソース割り当て方法。
【請求項１９】
前記リソースは、前記近接領域で使用していないリソースの中から選択されることを特徴とする請求項１８記載のリソース割り当て方法。
【請求項２０】
前記移動局に割り当てるリソースを、前記近接領域で使用しないことを特徴とする請求項１８記載のリソース割り当て方法。
【請求項２１】
前記近接領域は前記移動局が位置する領域に最も強い干渉を与える領域であることを特徴とする請求項１８から２０の何れか１項記載のリソース割り当て方法。
【請求項２２】
前記所定の条件は、前記移動局の位置によるものであることを特徴とする請求項１８から２１の何れか1項記載のリソース割り当て方法。
【請求項２３】
前記所定の条件は、前記移動局のスループットによるものであることを特徴とする請求項１８から２１の何れか1項記載のリソース割り当て方法。
【請求項２４】
情報処理装置に処理を実行させるプログラムであって、
前記プログラムは、基地局に接続している移動局が位置する領域において前記移動局と前記基地局との間の通信が所定の条件を満たしたときに、
前記情報処理装置に、少なくとも１つの、前記移動局が位置する領域に近接する近接領域で使用しているリソースと同一ではないリソースを前記移動局に割り当てる処理を実行させることを特徴とするプログラム。
【請求項２５】
前記リソースは、前記近接領域で使用していないリソースの中から選択されることを特徴とする請求項２４記載のプログラム。
【請求項２６】
前記移動局に割り当てるリソースを、前記近接領域で使用しないことを特徴とする請求項２４記載のプログラム。
【請求項２７】
前記近接領域は前記移動局が位置する領域に最も強い干渉を与える領域であることを特徴とする請求項２４から２６の何れか１項記載のプログラム。
【請求項２８】
前記所定の条件は、前記移動局の位置によるものであることを特徴とする請求項２４から２７の何れか1項記載のプログラム。
【請求項２９】
前記所定の条件は、前記移動局のスループットによるものであることを特徴とする請求項２４から２７の何れか1項記載のプログラム。
【発明の詳細な説明】
【技術分野】
【０００１】
本発明は、無線通信システム、基地局、移動局、リソース割り当て方法、プログラムおよび関連する技術に関する。
【背景技術】
【０００２】
３ｒｄ  Ｇｅｎｅｒａｔｉｏｎ  Ｇｅｎｅｒａｔｉｏｎ  Ｐａｒｔｎｅｒｓｈｉｐ  Ｐｒｏｊｅｃｔ（３ＧＰＰ）にて標準化が進められているＬｏｎｇ  Ｔｅｒｍ  Ｅｖｏｌｕｔｉｏｎ（ＬＴＥ）をはじめとする移動通信システムでは、基地局ごとに制御するエリアを分けるセルラ方式を採用している。
【０００３】
図１は、この種の無線通信システムの構成を示すブロック図である。本システムは、移動局１０、基地局２０，２１，２２から構成される。基地局２０、２１、２２は、それぞれ接続される。基地局２０、２１がそれぞれ制御する領域３０、３１をセルと呼ぶ。また、基地局２０はセル３０を複数の領域４０、４１、４２に分割し、基地局２１はセル３１を複数の領域４３、４４、４５に分割し、それぞれの領域に対して更に細かく制御を行うことが可能である。分割したそれぞれの領域をセクタと呼ぶ（例えば非特許文献１参照）。
【０００４】
基地局は各セルまたはおよび各セクタ固有のリファレンス信号を用いて通信の制御を行っている（例えば非特許文献２参照）。リファレンス信号ｒｌ，ｎｓ（ｍ）は例えば下記式（１）で表わされる。
【０００５】
【数１】
2010171829.tif 000003
【０００６】
ここで、ｎｓは無線フレーム内のスロット番号を表わし、ｌはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）のシンボル番号を表わす。ＮＲＢｍａｘ，ＤＬは下りの最大帯域幅を表わす。ｃ（ｉ）は疑似ランダム信号（Ｐｓｅｕｄｏ  ｒａｎｄａｍ  ｓｅｑｕｅｎｃｅ）の信号列を表わす。ｍは疑似ランダム信号の信号列ｃ（ｉ）のインデックスを表わす。
【０００７】
また、疑似ランダム信号の信号列ｃ（ｉ）の初期値Ｃｉｎｉｔは下記式（２）で表わされる。
【０００８】
【数２】
2010171829.tif 000004
【０００９】
ここで、ＮＩＤｃｅｌｌはセルの物理的な識別番号を表わす。
【００１０】
セルの物理的な識別番号ＮＩＤｃｅｌｌは下記式（３）で表わされる。
【００１１】
【数３】
2010171829.tif 000005
【００１２】
ここでＮＩＤ（１）はセルの識別番号を表わし、ＮＩＤ（２）はセクタの識別番号を表わす。
【００１３】
また、ＬＴＥをはじめとする移動通信システムでは、多元接続方式としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を採用している。ＯＦＤＭＡにおいては、周波数領域の利用効率を高めるために、基地局は、各移動局から報告される下りリンクの受信品質情報に基づいて、定められた幅の時間とサブキャリアのまとまりを単位としてスケジューリングを行う。定められた幅の時間とサブキャリアのまとまりをリソースブロックと呼ぶ。
【００１４】
図２は、図１の移動局１０についてリソースブロックのスケジューリングに必要な構成要素を示すブロック図である。移動局１０は受信部１０１、受信品質測定部１０２、送信部１０３から構成される。受信部１０１は基地局から受信したリファレンス信号を受信品質測定部１０２に出力する。受信品質測定部１０２は、リファレンス信号の受信品質を測定、受信品質情報を決定し、受信品質情報を送信部１０３へ出力する。送信部１０３は受信品質情報を基地局に送信する。
【００１５】
移動局１０の受信品質測定部１０２は、リソースブロックの受信品質を測定する。リソースブロックの受信品質は、例えばＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）で求められる。リソースブロックのＳＩＮＲは、下りリンクにおけるリファレンスシンボル部（リソースブロックのリファレンス信号が格納されている部分）の受信電力から、下記式（４）により求めることができる。
【００１６】
【数４】
2010171829.tif 000006
【００１７】
ここで、Ｍはシステム全体のセクタの数を表す。Ｂｍはセクタを表し、ｍ＝１のセクタＢ１は移動局が現在接続しているセクタ（Ｓｅｒｖｉｎｇ  Ｃｅｌｌ）、ｍ＞１のセクタは、同じ基地局の隣接セクタや周辺の基地局のセクタを表す。移動局１０はこれらのセクタＢ１〜ＢＭのリソースブロックのリファレンスシンボル部の受信電力を測定することが可能である。また、Ｆｎはｎ番目のリソースブロックを表す。さらに、ＳＩＮＲＲＢ（Ｂ１，Ｆｎ）はリソースブロックＦｎにおける、セクタＢ１から送信された信号の受信ＳＩＮＲ、Ｓ（Ｂｍ，Ｆｎ）はリソースブロックＦｎにおける、セクタＢｍから送信された信号の受信電力を表す。また、Ｗは熱雑音電力である。
【００１８】
移動局１０は、上記計算によりリソースブロック毎に測定した受信品質を定期的に基地局２０へ報告する（例えば非特許文献３参照）。
【００１９】
図３は、図１の基地局２０についてリソースブロックのスケジューリングに必要な構成要素を示すブロック図である。基地局２０は送信部２０１、受信部２０２、リソース割当部２０３、ＭＣＳ判定部２０４から構成される。
【００２０】
送信部２０１は、移動局１０に対してネットワークから送信された下りリンクのデータやリファレンスシンボルを送信する。また、送信部２０１は、下りリンクのデータを送信する際には、受信品質情報に基づきＭＣＳ判定部２０３で決定されたＭＣＳ（Ｍｏｄｕｌａｔｉｏｎ  ａｎｄ  Ｃｈａｎｎｅｌ  Ｃｏｄｉｎｇ  Ｓｃｈｅｍｅ）に応じて、誤り訂正符号化とデータ変調を行う。受信部２０２は移動局１０から報告された受信品質情報を、リソース割当部２０２とＭＣＳ判定部２０３に通知する。
【００２１】
リソース割当部２０３は、移動局１０からのリソースブロック毎の受信品質情報を用いて、移動局毎にリソースブロックの割り当て（スケジューリング）を行い、ＭＣＳ判定部２０４へ通知する。ＭＣＳ判定部２０４の構成は、リソース割当部２０２でのリソースブロックの割り当てと、受信品質情報をもとに、移動局毎に、割り当てられたリソースブロックの受信品質に対して、例えば、発生する誤り率が目標値以下となる最大送信レートのＭＣＳを選択する。
【先行技術文献】
【非特許文献】
【００２２】
【非特許文献１】３ＧＰＰ  ＴＲ２１．９０５  Ｖ８．１．０  Ｊｕｎｅ  ２００７
【非特許文献２】３ＧＰＰ  ＴＳ３６．２１１  Ｖ８．３．０  Ｍａｙ  ２００８
【非特許文献３】３ＧＰＰ  ＴＲ３６．３００  Ｖ８．２．０  Ｓｅｐｔｅｍｂｅｒ  ２００７
【発明の概要】
【発明が解決しようとする課題】
【００２３】
上述したスケジューリング方法では、移動局は接続している基地局だけではなく他の基地局から受ける干渉も考慮して伝搬路情報を基地局に報告し、基地局は報告された値に従って変調方式や符号化率などを決定し、移動局へデータの送信を行っている。
【００２４】
しかし、移動局から報告される伝搬路情報に従って変調方式や符号化率などを決定するだけでは、隣接局からの干渉が強い領域に位置する移動局に対して基地局は伝送能力の低い変調方式や符号化率しか用いることができず、効率的な通信が行われないという問題があった。
【００２５】
そこで、本発明の目的は、効率的な通信を行うことができるシステム、移動局、基地局、方法、プログラムを提供することにある。
【課題を解決するための手段】
【００２６】
上記課題を解決する本発明は、少なくとも１つの領域の通信を管理し、移動局に対してリソースを割り当てて通信を行う基地局であって、基地局に接続している移動局が位置する領域において、移動局と基地局との間の通信が所定の条件を満たしたときに、基地局は、少なくとも１つの、移動局が位置する領域に近接する近接領域で使用しているリソースと同一ではないリソースを移動局に割り当てることを特徴とする。
【００２７】
上記課題を解決する本発明は、基地局と移動局からなり、基地局は、少なくとも１つの領域の通信を管理し、移動局に対してリソースを割り当てて通信を行う通信システムであって、基地局に接続している移動局が位置する領域において、移動局と基地局との間の通信が所定の条件を満たしたときに、基地局は、少なくとも１つの、移動局が位置する領域に近接する近接領域で使用しているリソースと同一ではないリソースを移動局に割り当てることを特徴とする。
【００２８】
上記課題を解決する本発明は、少なくとも１つの領域の通信を管理し、移動局に対してリソースを割り当てて通信を行う基地局におけるリソース割り当て方法であって、基地局に接続している移動局が位置する領域において、移動局と基地局との間の通信が所定の条件を満たすかを判断するステップと、少なくとも１つの、移動局が位置する領域に近接する近接領域で使用しているリソースと同一ではないリソースを移動局に割り当てるステップとからなることを特徴とする。
【００２９】
上記課題を解決する本発明は、情報処理装置に処理を実行させるプログラムであって、プログラムは、基地局に接続している移動局が位置する領域において移動局と基地局との間の通信が所定の条件を満たしたときに、情報処理装置に、少なくとも１つの、移動局が位置する領域に近接する近接領域で使用しているリソースと同一ではないリソースを移動局に割り当てる処理を実行させることを特徴とする。
【発明の効果】
【００３０】
本発明によれば、効率的な通信を行うことができる。
【図面の簡単な説明】
【００３１】
【図１】無線通信システムの構成を示すブロック図である。
【図２】無線通信システムにおける移動局の構成の一例を示すブロック図である。
【図３】無線通信システムにおける基地局の構成の一例を示すブロック図である。
【図４】本発明の第１から第４の実施形態における移動局の構成の一例を示すブロック図である。
【図５】本発明の第１から第４の実施形態における基地局の構成の一例を示すブロック図である。
【図６】本発明の第１及び第３の実施形態におけるリソース割当部の構成を示すブロック図である。
【図７】本発明の第１及び第３の実施形態における基地局のリソース割当動作を示すフローチャートである。
【図８】本発明の第２の実施形態における移動局の構成の一例を示すブロック図である。
【図９】本発明の第４の実施形態における無線通信システムの構成を示すブロック図である。
【発明を実施するための形態】
【００３２】
（第１の実施の形態）
基地局に接続している移動局が位置する領域（以下、基準領域）において、移動局と基地局との間の通信が所定の条件を満たしたときに、基地局は、少なくとも１つの、基準領域に近接する近接領域で使用しているリソースと同一ではないリソースを移動局に割り当てることを特徴としている。
【００３３】
以下、基準領域を移動局が基地局と接続しているセクタ、近接領域を隣接セクタ、リソースをリソースブロック、所定の条件を移動局がセクタ境界にいる場合を一例として図１及び図４から図７を用いて説明する。
【００３４】
図４は本実施の形態における移動局１０の構成の一例を示すブロック図である。図２に示した受信部１０１と受信品質測定部１０２と送信部１０３に加えて、判定情報測定部３０１とを備える。
【００３５】
判定情報測定部３０１は、移動局の位置を判定することができる情報である、判定情報を測定し、送信部１０３へ通知する。
【００３６】
送信部１０３は、受信品質測定部１０２が測定した受信品質情報と、判定情報測定部３０１から通知された判定情報を基地局２０に送信する。以下では判定情報がハンドオーバ判定用受信品質情報であるとして説明する。
【００３７】
図５は本実施の形態における基地局２０の構成の一例を示すブロック図である。図３に示した送信部２０１、受信部２０２、リソース割当部２０３、ＭＣＳ判定部２０４に加えて、該基地局の全セクタのリソースブロックの割当情報を管理する割当情報管理部４０１を備える。割当情報は、該基地局の全セクタでまだ割り当てられていないリソースブロックを示す割当候補情報と、該基地局のいずれかのセクタで割り当てられているリソースブロックを示す既割当情報との集合からなる。割当情報はセクタ毎に管理がされており、割当の更新が行われた際は、随時割当情報を更新する。
【００３８】
なお、リソース割当部２０３、割当情報管理部４０１は、ＣＰＵ等のプログラム制御プロセッサ上でそれぞれ対応する機能のプログラムを実行することで同等の機能を実現することもできる。
【００３９】
図６は、本実施の形態における基地局２０のリソース割当部２０３の詳細構成を示すブロック図である。本実施形態のリソース割当部２０３は、移動局位置判定部５０１と、割当決定部５０２とから構成される。
【００４０】
移動局位置判定部５０１は、移動局１０から受信したハンドオーバ判定用受信品質情報に基づいて移動局１０のセクタ内の位置を判定し、割当決定部５０２に出力する。
【００４１】
割当決定部５０２は、上記移動局から報告された受信品質情報と、移動局１０のセクタ内の位置情報と、割当情報管理部４０１が保持する割当情報を入力として、移動局毎にリソースブロックの割り当て（スケジューリング）を行う。
【００４２】
図７は、本実施の形態における基地局２０におけるリソース割当動作を示すフローチャートである。処理が開始されると、移動局位置判定部５０１は、基地局セル内の割当機会が与えられる移動局の候補から一つを選択し、候補となる移動局がセクタの境界付近にいるか否かを判断する（ステップＳ１０１）。
【００４３】
移動局位置判定部５０１はセクタの境界付近にいるか否かの判定に、移動局１０が接続する領域のハンドオーバ判定用受信品質の値を用いる。移動局１０が接続する領域のハンドオーバ判定用受信品質は、例えば、下記の式（５）より求められる。
【００４４】
【数５】
2010171829.tif 000007
【００４５】
ここで、Ｍはシステム全体のセクタの数を表す。Ｂｍはセクタを表し、ｍ＝１のセクタＢ１は移動局が現在接続しているセクタ（Ｓｅｒｖｉｎｇ  Ｃｅｌｌ）、ｍ＞１のセクタは、同じ基地局の隣接セクタや周辺の基地局のセクタを表す。また、Ｎは基地局が使用可能な全リソースブロック数を表し、ＳＩＮＲＢＡＮＤ（Ｂ１）は、セクタＢ１の送信信号のシステム全帯域についての平均受信ＳＩＮＲ、ＳＡ（Ｂｍ、Ｆｎ）は、セクタＢｍからの送信信号の、リソースブロックＦｎにおける平均受信電力を表す。また、Ｗは熱雑音電力である。
【００４６】
なお、ここではＳＩＮＲＢＡＮＤ（Ｂ１）を計算する際に、移動局が現在接続しているセクタ以外全てを用いるとして説明したが、これに限定されるものではなく予め定められたセクタを除くという形態でもよい。
【００４７】
また、ここではＳＩＮＲＢＡＮＤ（Ｂ１）を計算する際に、全リソースブロック数Ｎを用いるとして説明したが、これに限定されるものではなく予め定められた一部のリソースブロックについて計算するという形態でもよい。
移動局位置判定部５０１は、上式から求まる当該移動局１０が接続する領域のハンドオーバ判定用受信品質の値が予め定めた閾値以下である場合、当該移動局１０がセクタの境界付近にいると判定する。
【００４８】
ステップＳ１０１において、移動局１０がセクタの境界付近にいないと判断された場合は、割当情報管理部４０１が管理するリソースブロックの割当情報の中から移動局１０へ割り当てるリソースブロックの決定を行い（ステップＳ１０２）、後述のステップＳ１０５へ進む。
【００４９】
ステップＳ１０１において、移動局１０がセクタの境界付近にいると判断された場合は、割当決定部５０２は、既割当情報が示すリソースブロックを移動局１０に割り当てるリソースブロックの候補から外す（ステップＳ１０３）。図１を参照すると、移動局がセクタ５０とセクタ５１の境界にいる場合、現在接続している基準セクタが５０であり、隣接セクタがセクタ５１となる。その後、割当決定部５０２は、リソースブロックの割当候補の中から移動局１０へ割り当てるリソースブロックを決定する（ステップＳ１０４）。ステップＳ１０４においてリソースブロックを割り当てた後、割当決定部５０２は、隣接セクタに位置する他の移動局のリソース割当ての際に、移動局１０に割り当てたリソースブロックと同一のリソースブロックが割り当てられないよう割当情報管理部４０１の情報を更新し（ステップＳ１０５）、処理を終了する。割当情報管理部の情報を更新するとは、他のセクタに対して移動局１０が割り当てられたリソースブロックを通知し、また、通知された他のセクタにおいて移動局が割りあてられたリソースブロックを受信し、割当候補情報または既割当情報を更新する。その後、  基地局２０は、移動局１０から受信した受信品質情報に従ってＭＣＳの選択を行い、送信を行う。
【００５０】
以上により、セクタの境界付近にいると判断された移動局に割り当てられたリソースブロックは、隣接セクタでは割り当てられていないものとなり、リソースブロックのデータを移動局が受信するときの受信品質は、隣接セクタ干渉を受けないものとなる。
【００５１】
なお、本実施の形態では、図７のステップＳ１０３において、既割当情報が示すリソースブロックを移動局１０に割り当てるリソースブロックの候補から外すとして説明したが、隣接セクタにおいて既割当情報が示すリソースブロックを割り当てられている他の移動局の送信を取りやめるという形態でもよい。この形態では、隣接セクタにおいて、送信を取りやめた移動局は他のリソースブロックへ再スケジュールするという形態でもよい。
【００５２】
また、本実施の形態では、リソースをリソースブロックとして説明したが、これに限定されたものではなく周波数帯域や拡散コードなどとする形態でもよい。
【００５３】
また、本実施の形態では、判定情報がハンドオーバ判定用受信品質情報として説明したが、これに限定されるものではなく、移動局がＧＰＳ（Ｇｒｏｂａｌ  Ｐｏｓｉｔｉｏｎｉｎｇ  Ｓｙｓｔｅｍ）や基地局の電波強度を使って得た自身の位置情報等を報告し、基地局がその位置情報をもとにセクタの境界付近にいるか否かを判断する形態でもよい。
【００５４】
また、本実施の形態では、図７のステップＳ１０３において、既割当情報が示すリソースブロックを移動局１０に割り当てるリソースブロックの候補から外すとして説明したが、スケジューリングが隣接セクタの中心部で行われている場合はスケジューリングの候補とするという形態でもよい。
【００５５】
また、本実施の形態では、近接領域を隣接セクタとして説明したが、隣接しているセクタに限られたものではなく、基地局に近接しているセクタとする形態でもよい。
【００５６】
また、本実施の形態では、基準領域を移動局が基地局と接続しているセクタ、近接領域を隣接セクタとして説明したが、それぞれセクタに限られたものではなく、セルとする形態でもよい。
【００５７】
また、本実施の形態では、隣接セクタか否かとして説明したが、干渉の大小で判断するという形態でもよい。
（変形例１）
移動局位置判定部５０１が、移動局がセクタの境界付近にいるか否かの判定を行う値として、移動局が報告するリソースブロックごとの受信ＳＩＮＲを合計し、全リソースブロックで平均処理した値を用いることもできる。例えば、下記式（６）より求めた値を使用する。
【００５８】
【数６】
2010171829.tif 000008
【００５９】
ここで、ＳＩＮＲＲＢ（Ｂｍ、Ｆｎ）は移動局から報告されるリソースブロックごとの受信品質の値であり、セクタＢｍの送信信号のリソースブロックＦｎにおけるＳＩＮＲを表す。また、Ｓ（Ｂｍ、Ｆｎ）は、セクタＢｍの送信信号の、リソースブロックＦｎにおける受信電力を表す。
移動局位置判定部５０１は、移動局１０が報告するリソースブロック毎の受信品質を全リソースブロックで平均計算を行った値が予め定めた閾値以下である場合、当該移動局１０がセクタの境界付近にいると判定する。
（変形例２）
移動局位置判定部５０１が、移動局がセクタの境界付近にいるか否かの判定を行う値として、移動局が接続するセクタと同一基地局で最も干渉の強い隣接セクタの受信ＳＩＮＲを用いることもできる。例えば、下記式（７）より求めた値を使用する。
【００６０】
【数７】
2010171829.tif 000009
【００６１】
ここで、ｍ＝２のセクタＢ２は動局が接続するセクタと同一基地局で最も干渉の強い隣接セクタを表す。
移動局位置判定部５０１は、上式から求まる移動局１０が接続するセクタに隣接するセクタのハンドオーバ判定用受信品質の値が予め定めた閾値以上である場合、当該移動局１０がセクタの境界付近にいると判定する。
（変形例３）
移動局位置判定部５０１が、移動局がセクタの境界付近にいるか否かの判定を行う値として、移動局１０が接続する基準セクタのハンドオーバ判定用受信品質の値と、セクタに隣接するセクタのハンドオーバ判定用受信品質の値の差分を用いることもできる。差分値が予め定めた閾値以下である場合、当該移動局１０がセクタの境界付近にいると判定する。
（変形例４）
移動局１０が接続するセクタに隣接するセクタからの干渉を回避したときの接続セクタのハンドオーバ判定用受信品質の改善量を用いる判定条件を更に用いて、移動局がセクタの境界付近にいるか否かを判定することもできる。また、判定条件は上述の他の変形例で用いられる判定条件に対しても同様に追加することが可能である。
【００６２】
移動局１０が接続するセクタに隣接するセクタからの干渉を回避したときの接続セクタのハンドオーバ判定用受信品質の改善量は下記式（８）より求められる。
【００６３】
【数８】
2010171829.tif 000010
【００６４】
ここで、ＳＩＮＲＢＡＮＤ（−Ｂ２）（Ｂ１）は、隣接するセクタＢ２からの干渉を回避したときに、セクタＢ１の送信信号のシステム全帯域についての平均受信ＳＩＮＲを表す。さらに、ＳＩＮＲＢＡＮＤ（−Ｂ２）（Ｂ１）は下記式（９）で表すことができる。
【００６５】
【数９】
2010171829.tif 000011
【００６６】
ＳＩＮＲＢＡＮＤ（−Ｂ２）（Ｂ１）は移動局１０が基地局２０へ報告する値ではない。そこで、基地局２０はＳＩＮＲＢＡＮＤ（−Ｂ２）（Ｂ１）を用いずに、セクタＢ２からの干渉を回避したときのハンドオーバ判定用受信品質の改善量を計算する。
【００６７】
セクタＢ２からの干渉を回避したときのハンドオーバ判定用受信品質の改善量をδとすると、下記式（１０）が成立する。
【００６８】
【数１０】
2010171829.tif 000012
【００６９】
前式を、変形例２で示した、セクタＢ１の送信信号のシステム全帯域についての平均受信ＳＩＮＲの式に代入すると、下記式（１１）が成立する。
【００７０】
【数１１】
2010171829.tif 000013
【００７１】
同様にδの関係式を、変形例２に示した、セクタＢ２の送信信号の平均受信ＳＩＮＲの式に代入し、さらに前式も代入すると下記式（１２）が成立する。
【００７２】
【数１２】
2010171829.tif 000014
【００７３】
式（１２）は、セクタＢ２からの干渉を回避したときのハンドオーバ判定用受信品質の改善量がδとなるときの、セクタＢ１とセクタＢ２の送信信号のシステム全帯域についての平均受信ＳＩＮＲの関係式となる。
【００７４】
したがって、セクタＢ２からの干渉を回避したときのハンドオーバ判定用受信品質の改善量がδよりも大きくなる場合の条件式は下記式（１３）のようになる。
【００７５】
【数１３】
2010171829.tif 000015
【００７６】
本実施形態における移動局位置判定部５０１は、移動局１０が接続する領域のハンドオーバ判定用受信品質の値が予め定めた閾値以下であり、かつ、移動局１０が接続するセクタに隣接するセクタからの干渉を回避したときの接続セクタのハンドオーバ判定用受信品質の改善量が予め定めた閾値以上である場合に、当該移動局１０がセクタの境界付近にいると判定する。
（変形例５）
変形例１の判定条件と、移動局１０が接続するセクタに隣接するセクタからの干渉を回避したときの接続セクタのハンドオーバ判定用受信品質の改善量を用いる判定条件の２つを用いて、移動局がセクタの境界付近にいるか否かを判定することも可能である。後述の判定方法は変形例４で既に説明しているため、説明は省略する。
【００７７】
本変形例における移動局位置判定部５０１は、移動局１０が報告するリソースブロック毎の受信品質を全リソースブロックで平均計算を行った値が予め定めた閾値以下であり、かつ、移動局１０が接続するセクタに隣接するセクタからの干渉を回避したときの接続セクタのハンドオーバ判定用受信品質の改善量が予め定めた閾値以上である場合に、当該移動局１０がセクタの境界付近にいると判定する。
（変形例６）
変形例２の判定条件と、移動局１０が接続するセクタに隣接するセクタからの干渉を回避したときの接続セクタのハンドオーバ判定用受信品質の改善量を用いる判定条件の２つを用いて、移動局がセクタの境界付近にいるか否かを判定することも可能である。後述の判定方法は変形例４で既に説明しているため、説明は省略する。
【００７８】
本変形例における移動局位置判定部５０１は、移動局１０が接続するセクタに隣接するセクタのハンドオーバ判定用受信品質の値が予め定めた閾値以上であり、かつ、移動局１０が接続するセクタに隣接するセクタからの干渉を回避したときの接続セクタのハンドオーバ判定用受信品質の改善量が予め定めた閾値以上である場合に、当該移動局１０がセクタの境界付近にいると判定する。
（変形例７）
変形例３の判定条件と、移動局１０が接続するセクタに隣接するセクタからの干渉を回避したときの接続セクタのハンドオーバ判定用受信品質の改善量を用いる判定条件の２つを用いて、移動局がセクタの境界付近にいるか否かを判定することも可能である。後述の判定方法は変形例４で既に説明しているため、説明は省略する。
【００７９】
本変形例における移動局位置判定部５０１は、移動局１０が接続するセクタのハンドオーバ判定用受信品質の値と、セクタに隣接するセクタのハンドオーバ判定用受信品質の値の差分値が予め定めた閾値以下であり、かつ、移動局１０が接続するセクタに隣接するセクタからの干渉を回避したときの接続セクタのハンドオーバ判定用受信品質の改善量が予め定めた閾値以上である場合に、当該移動局１０がセクタの境界付近にいると判定する。
（第２の実施の形態）
本実施の形態は、第1の実施の形態に加え、近接領域で使用しているリソースと同一ではないリソースを移動局に割り当てる際に、近接領域からの干渉の少なくとも一部を除外したリソースブロックの受信品質情報を使用することを特徴としている。
【００８０】
以下、基準領域を移動局が基地局と接続しているセクタ、近接領域が隣接セクタ、所定の条件を移動局がセクタ境界にいる場合を一例として説明する。ここでは、第１の実施の形態を例に図１及び図５から図８を用いて説明する。
【００８１】
図８は本実施の形態における移動局１０の構成の一例を示すブロック図である。図４と比較すると、受信品質測定部１０２が他のセクタからの干渉を含んだリソースブロックの受信品質を測定する第１受信品質測定部６０１と、他のセクタからの干渉の少なくとも一部を除外したリソースブロックの受信品質を測定する第２受信品質測定部６０２とに置き換わっている。
【００８２】
本実施の形態は、第１の実施の形態と比較して、図７の処理が終わった後の、ＭＣＳの選択方法が異なるのでその点について説明する。本実施の形態では、隣接セクタにおいてリソースブロックの使用が禁止された場合、移動局１０は、他のセクタからの干渉を含まない第２の受信品質情報を用いてＭＣＳの選択を行う。また、隣接セクタにおいてリソースブロックの使用が禁止されなかった場合、移動局１０は、他のセクタからの干渉を含む第１の受信品質情報を用いてＭＣＳの選択を行う。
【００８３】
本実施の形態では、セクタの境界付近にいると判断された場合に、セクタ間干渉が発生しないようスケジューリングが行なわれ、また他のセクタからの干渉を含まない受信品質に従ってＭＣＳの選択が行われるので、更に効率的な送信を行うことが可能となる。
【００８４】
また、本実施の形態では、近接領域を隣接セクタとして説明したが、これに限定されるものではなく移動局は特定のセクタに着目し、そのセクタからの干渉を除外した値を第２の受信品質情報として報告してもよい。また、複数のセクタからの干渉を除外する形態でもよい。
【００８５】
また、本実施の形態では、基準領域を移動局が基地局と接続しているセクタ、近接領域を隣接セクタとして説明したが、それぞれセクタに限られたものではなく、セルとする形態でもよい。
（第３の実施の形態）
本実施の形態は、基準領域において、移動局と基地局との間の通信が所定の条件を満たしたときに、基地局は、近接領域で使用しているリソースと同一ではないリソースを移動局に割り当てることを特徴としている。
【００８６】
以下、基準領域を移動局が基地局と接続しているセクタ、近接領域が隣接セクタであり、所定の条件を移動局のスループットが予め定められた閾値を下回った場合を一例として説明する。特に、第１の実施の形態をもとに図１及び図４から図７を用いて説明する。
【００８７】
第１の実施の形態では、判定情報測定部３０１が測定する判定情報をハンドオーバ判定用受信品質情報として説明したが、本実施の形態では、移動局が、接続している基地局との間のスループットを計測している点が異なる。
【００８８】
なお、本実施の形態では、移動局がスループットを測定し、基地局へ報告するとして説明をしたが、基地局が各移動局のスループットを測定し、測定したスループットをもとに判断するという形態でもよい。この形態の場合、判定情報測定部３０１が移動局にはなくてもよく、基地局に判定情報測定部を設けることとなる。
【００８９】
また、本実施の形態は第１の実施の形態をもとに説明したが、第２の実施の形態にも適用可能である。
（第４の実施の形態）  
本実施の形態では、基地局同士が割当候補やリソース割当に関する情報をやり取りすることを特徴としている。第１から第３の実施の形態では１つの基地局配下の全セクタに関する割当候補を管理するとして説明したが、本実施の形態では基地局同士が割当候補やリソース割当に関する情報をやり取りする点で異なる。
【００９０】
基地局同士が割当候補やリソース割当に関する情報をやり取りすることにより、他の基地局のセクタで使用しているリソースと同一ではないリソースを移動局に割り当てることが可能となる。
【００９１】
なお、基地局同士が情報をやり取りする場合は図１のように基地局間で直接やりとりする形態でもよい。また図９のようにゲートウェイ５０のような他の装置やネットワークを介する形態でもよいし、無線などを通じて基地局間で直接やり取りをするという形態でもよい。
【００９２】
本発明は、第１の実施の形態から第４の実施の形態において、ＬＴＥを例にとり説明をしたが、これに限定されたものではない。リソースブロックをバーストとして置き換えるとＷｉｍａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等にも適用可能である。また、リソースブロックを使用する形態に限ったものではなく、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などシングルキャリアの通信においても、シングルキャリアでのリソースの割当てを行うか否かを判断するとして適用可能である。
【産業上の利用可能性】
【００９３】
本発明は、複数の移動局について基地局がスケジューリングを行う無線通信システムに適用可能である。
【符号の説明】
【００９４】
１０  移動局
２０  基地局
３０  セル
４０  セクタ
【図１】
2010171829.tif 000016
【図２】
2010171829.tif 000017
【図３】
2010171829.tif 000018
【図４】
2010171829.tif 000019
【図５】
2010171829.tif 000020
【図６】
2010171829.tif 000021
【図７】
2010171829.tif 000022
【図８】
2010171829.tif 000023
【図９】
2010171829.tif 000024